(57)【特許請求の範囲】
【請求項１】
横置ドラム形のハウジングの上部に、内周面の螺旋方向に沿った複数の整流板と螺旋方向の前方に配した排出口を設け、かつ前記ハウジングの下部面に、多数のメッシュ孔を設けるとともに、前記ハウジングの内部に、シャフトから放射方向に突出した複数のインペラを有するインペラ輪を配設し、このインペラ輪を回転させることにより、前記ハウジングの被処理物から分離した軽量ゴミを前記排出口から排出し、かつ分離した重量ゴミを前記メッシュ孔から排出する分離機において、前記ハウジングの上部の内周面に着脱する支持部材に前記整流板を設けることにより整流ユニットを構成するとともに、前記整流板の角度が異なる複数の整流ユニットを用意することにより、各整流ユニットを選択して前記ハウジングに取付可能に構成し、前記整流板の相互間に形成される複数の流路の一部又は全部に障害板を配設することを特徴とする分離機。
【請求項２】
前記整流板の先端辺には、平刃，ノコギリ刃等の切断刃を形成することを特徴とする請求項１記載の分離機。
【発明の詳細な説明】
【０００１】
【発明の属する技術分野】
本発明は、期限切れ食品等を包装ゴミと生ゴミに分離する際に用いて好適な分離機に関する。
【０００２】
【従来の技術】
一般に、期限切れ食品等は包装ゴミと生ゴミに分離し、それぞれ別々にリサイクル或いは焼却等を行っている。しかし、包装ゴミと生ゴミの分離作業は、大変な労力と時間を要するため、本出願人は、既に、特開２０００−１６７４２６号公報により、包装ゴミ（軽量ゴミ）と生ゴミ（重量ゴミ）を分離する際に用いて好適な分離機を提案した。
【０００３】
この分離機は、横置ドラム形のハウジングの上部に、内周面の螺旋方向に沿った複数の整流板と螺旋方向の前方に配した排出口を設け、かつハウジングの下部面に、多数のメッシュ孔を設けるとともに、ハウジングの内部に、シャフトから放射方向に突出した複数のインペラを有するインペラ輪を配設し、このインペラ輪を回転させることにより、ハウジング内の被処理物から分離した軽量ゴミを排出口から排出し、かつ分離した重量ゴミをメッシュ孔から排出するもので、インペラ輪は、角棒状に形成したシャフトに複数のインペラを固定して構成する。これにより、被処理物を軽量ゴミと重量ゴミに自動で分離できるとともに、特に、作動振動及び作動音の低減を図ることができる。
【０００４】
【発明が解決しようとする課題】
しかし、期限切れ食品等の被処理物は、様々な種類が存在し、包装の種類をとっても発泡スチロール，合成樹脂シート，紙類等の各種の包装が存在するため、上述した分離機では、被処理物の内容によって、十分かつ確実に分離できないという改善すべき課題も残されていた。
【０００５】
本発明は、このような従来の技術に存在する課題を解決したものであり、大型の分離機を構成する場合でも十分な加工精度を確保できるとともに、コストアップを招くことなく容易に実施でき、しかも、被処理物の種類に左右されることなく十分かつ確実な分離を行うことができる分離機の提供を目的とする。
【０００６】
【課題を解決するための手段及び実施の形態】
本発明は、横置ドラム形のハウジング２の上部に、内周面の螺旋方向に沿った複数の整流板３…と螺旋方向の前方に配した排出口４を設け、かつハウジング２の下部面に、多数のメッシュ孔５…を設けるとともに、ハウジング２の内部に、シャフト６から放射方向に突出した複数のインペラ７…を有するインペラ輪８を配設し、このインペラ輪８を回転させることにより、ハウジング２内の被処理物Ａから分離した軽量ゴミＡｓを排出口から排出し、かつ分離した重量ゴミＡｗをメッシュ孔５…から排出する分離機１を構成するに際して、ハウジング２の上部の内周面に着脱する支持部材１２に整流板３…を設けることにより整流ユニット１１を構成するとともに、整流板３…の角度Ｒ…が異なる複数の整流ユニット１１ａ，１１ｂ…を用意することにより、各整流ユニット１１ａ…を選択してハウジング２に取付可能に構成し、整流板３…の相互間に形成される複数の流路Ｆ…の一部又は全部には障害板１３…を配設したことを特徴とする。
【０００７】
この場合、好適な実施の形態により、整流板３の先端辺３ｓには、平刃１４ａ，ノコギリ刃１４ｂ等の切断刃１４を形成することができる。
【０００８】
【実施例】
以下には本発明に係る好適な実施例を挙げ、図面に基づき詳細に説明する。
【０００９】
まず、本実施例に係る分離機１の全体概略構成について、図２を参照して説明する。
【００１０】
分離機１は、大別して、分離機本体部２０，回転駆動機構部２１，被処理物供給部２２及び三つの回収コンテナＣａ，Ｃｂ，Ｃｃを備える。
【００１１】
分離機本体部２０は、横置ドラム形のハウジング２を備え、このハウジング２は複数の脚部２５…により一定の高さに支持する。また、ハウジング２の一端面２ｓには、被処理物供給部２２から被処理物Ａを供給する供給口２６を設けるとともに、ハウジング２の他端面２ｔの近傍に位置する周面部２ｆの上部には排出口４を設ける。さらに、ハウジング２の周面部２ｆの下部面には、多数のメッシュ孔５…を設ける。一方、ハウジング２の内部にはインペラ輪８を配設する。インペラ輪８は、一端面２ｓと他端面２ｔに両端側を回動自在に支持されるシャフト６を有するとともに、このシャフト６から放射方向に突出する四枚のインペラ７…を有する。なお、分離機本体部２０は、本発明の要部を構成するもので、細部の構成は後述する。
【００１２】
回転駆動機構部２１は、支持台３０上に設置した駆動モータ（ギアモータ）３１と、この駆動モータ３１の回転出力を前記シャフト６に伝達する伝達チェーン３２ｃを用いた回転伝達機構３２を備える。また、被処理物供給部２２は、近傍に設置したベルトコンベアＢから投入される被処理物Ａを供給口２６に供給するホッパー３３を備える。
【００１３】
一方、回収コンテナＣａ，Ｃｂは、ハウジング２の下方に並べてセットするとともに、回収コンテナＣｃは、ハウジング２の他端面２ｔの隣にセットする。３４ａ，３４ｂは、ハウジング２の下部に付設した前後一対のスカートであり、スカート３４ａは、一端面２ｓ寄りのメッシュ孔５…から排出される重量ゴミＡｗを回収コンテナＣａに導くとともに、スカート３４ｂは、他端面２ｔ寄りのメッシュ孔５…から排出される重量ゴミＡｗを回収コンテナＣｂに導く。また、排出口４には、この排出口４から排出される軽量ゴミＡｓを回収コンテナＣｃに導くシュータ３４ｃを付設する。なお、実施例は、前後一対の回収コンテナＣａ，Ｃｂ及びスカート３４ａ，３４ｂを設けた場合を示したが、両者を合体した単一の構成であってもよい。
【００１４】
次に、本発明の要部を構成する分離機本体部２０の構成について、図１〜図９を参照して具体的に説明する。
【００１５】
分離機本体部２０は、前述したハウジング２を備え、このハウジング２は、筒形の周面部２ｆと、この周面部２ｆを閉塞する一端面２ｓと他端面２ｔを有する。一端面２ｓ及び他端面２ｔは、図１に示すように真円を上下に若干長くした小判形に形成する。
【００１６】
ハウジング２の上部には、内周面の螺旋方向に沿った複数の整流板３…を設ける。この場合、整流板３…は整流ユニット１１として構成する。整流ユニット１１は、プレート材を湾曲して形成した支持部材１２を有し、この支持部材１２の下面に、三日月形に形成し、かつ図６に示すように、所定の角度Ｒで傾斜させた複数の整流板３…を一定間隔置きに固着するとともに、整流板３…の相互間に形成される複数の流路Ｆ…の一部又は全部に障害板１３…を固着して構成する。図６は、一部の流路Ｆ…、即ち、一つ置きの流路Ｆ…に計三つの障害板１３…を配した例を示す。
【００１７】
整流板３…の先端辺３ｓは、特に加工処理を施さない単なる端辺であってもよいし、図８に示すように切断刃１４に形成してもよい。切断刃１４としては、平刃１４ａでもよいしノコギリ刃１４ｂでもよい。また、先端辺３ｓの全部に形成してもよいし一部に形成してもよい。平刃１４ａを設ければ、厚めのポリエチレン製袋，ボール紙，段ボール等も容易にカッティングできるとともに、ノコギリ刃１４ｂを設ければ、丈夫な合成樹脂の紐，茎や根等も容易にカッティングできる。さらに、支持部材１２の所定位置には、図６に示す複数の取付孔５１…を形成する。これにより、図３に示すように、固定ネジ５２…とナット５３…を用いてハウジング２の上部の内周面に着脱できる。
【００１８】
一方、整流ユニット１１は、整流板３…の角度Ｒ…を異ならせたものを複数用意する。図６は、ハウジング２の径方向線Ｌに対する整流板３…の角度Ｒを１５゜に選定した整流ユニット１１ａを示し、図７は、径方向線Ｌに対する整流板３…の角度Ｒを３０゜に選定した整流ユニット１１ｂを示す。ハウジング２の軸方向長さを１２００〔ｍｍ〕とし、インペラ輪８の回転数を６００〔ｒｐｍ〕とした場合、図６の整流ユニット１１ａでは、ハウジング２内に供給した被処理物Ａの軽量ゴミＡｓを、平均５秒程度で排出することができ、比較的分離しにくい被処理物Ａの処理に適している。一方、図７の整流ユニット１１ｂでは、ハウジング２内に供給した被処理物Ａの軽量ゴミＡｓを、図６の場合の半分程度の時間で排出することができ、比較的分離の容易な被処理物Ａを高速で処理する場合に適している。したがって、このような種類の異なる複数の整流ユニット１１ａ，１１ｂ…を用意することにより、被処理物Ａの種類に応じた最適な整流ユニット１１ａ…を選択してハウジング２に取付けることができる。
【００１９】
他方、ハウジング２の下部面には、多数のメッシュ孔５…を設ける。具体的には、図５に示すような多数の小円孔（メッシュ孔５…）が配列するパンチングボード５５により形成する。なお、このような構成において、排出口４は、螺旋方向に形成される流路Ｆ…の前方に配されることになる。
【００２０】
さらに、ハウジング２の内部に配設するインペラ輪８は、丸棒状（丸パイプ状を含む）に形成したシャフト６を有し、このシャフト６に、周方向に等間隔（９０°間隔）で配し、かつ放射方向に突出する四枚のインペラ７…を取付けて構成する。インペラ７…は、図４及び図５に示すように、矩形のインペラ本体部７ｍ…と、このインペラ本体部７ｍ…の内端辺から折曲してシャフト６の外周面に面接触する取付板部７ｃ…を一体に有する。この場合、インペラ本体部７ｍ…の先端辺には、ネジ（ボルト）６６…によりインペラゴム６５…を取付け、インペラ本体部７ｍ…の先端辺から所定幅だけ突出させるとともに、取付板部７ｃ…はインペラ本体部７ｍ…から直角に折曲し、かつシャフト６の外周面に面接触するように湾曲形成する。取付板部７ｃ…は、図４に示すように、ネジ（ボルト）６７…を用いてシャフト６の外周面にネジ止めする。この際、図５に示すように、軸方向に沿って複数個所をネジ止めする。インペラ輪８のシャフト６は、ハウジング２の一端面２ｓと他端面２ｔの中央にベアリング等の軸受を介して回動自在に支持する。この場合、上下方向の中央は、ハウジング２の下部面と整流板３…の先端辺３ｓ…間の中央となる。このようなシャフト６とインペラ７…を用いることにより、どのような大きさにも対応でき、大型の分離機１を構成する場合であっても十分な加工精度を確保できるとともに、コストアップを招くことなく容易に実施できる。
【００２１】
また、図４に示すように、各インペラ７…の相互間には、当該インペラ７…に対して直角となるリブ部材９…を介在させる。この場合、各リブ部材９は図４に示す形状に形成し、リブ部材９…の辺部を相隣る各インペラ７…に溶接等により固着する。リブ部材９…を設ける軸方向における位置は、図５及び図２に示すように、軸方向両端付近の二個所である。リブ部材９…によりインペラ７…の曲げが回避され、インペラ輪８全体の強度が高められる。
【００２２】
なお、図９には、シャフト６にインペラ７…を取り付ける際の他の取付形態を参考例として示す。図９に示す取付形態は、シャフト６の外周面に軸方向に沿った取付溝７１…を形成し、この取付溝７１…に矩形のインペラ７…の端辺を差込み、溶接等により固定したものである。したがって、この場合には、前述した取付板部７ｃ…は不要となる。
【００２３】
次に、本実施例に係る分離機１の使用方法及び動作（機能）について、各図を参照して説明する。
【００２４】
まず、不図示の運転スイッチをオンにすれば、駆動モータ３１が回転し、この駆動モータ３１の回転は、回転伝達機構３２を介してシャフト６に伝達される。これにより、インペラ輪８は前述した６００〔ｒｐｍ〕で回転する。インペラ輪８の回転方向は、図１中矢印Ｘ方向となる。インペラ輪８の回転により、ハウジング２の内部では風が発生する。この風は整流板３…の整流作用により螺旋状となり、排出口４から排出される。
【００２５】
一方、期限切れ食品等の被処理物Ａを、ベルトコンベアＢにより被処理物供給部２２のホッパー３３に順次投入する。これにより、投入された被処理物Ａは、ハウジング２の一端面２ｓに形成した供給口２６からハウジング２の内部に供給され、回転するインペラ輪８により粉砕されるとともに、包装ゴミ等の軽量ゴミＡｓは風に乗り、排出口４から排出される。排出された軽量ゴミＡｓは、シュータ３４ｃを落下して回収コンテナＣｃに回収される。他方、生ゴミ等の重量ゴミＡｗは、回転するインペラ７…の先端に設けたインペラゴム６５…によりメッシュ孔５…から外部に排出（押出）される。排出された重量ゴミＡｗは、回収コンテナＣａ，Ｃｂに落下する。
【００２６】
なお、本実施例のように、前後一対の回収コンテナＣａ，Ｃｂを設ければ、比較的分離しやすい重量ゴミＡｗは回収コンテナＣａに回収され、比較的分離しにくい重量ゴミＡｗは回収コンテナＣｂに回収されるため、重量ゴミＡｗの種類に応じた更なる分離を行うことができる。
【００２７】
また、本実施例では、障害板１３…を設けたため、インスタントラーメンに付いているスープ袋等であっても確実に破砕（分離）することができる。即ち、障害板１３…が無い場合には、比較的小さく軽量なスープ袋等は破砕されることなくそのまま排出口４から排出されてしまう虞れがあったが、この不具合を解消することができる。
【００２８】
以上、実施例について詳細に説明したが、本発明はこのような実施例に限定されるものではなく、細部の構成，形状，材料，部品，数量等において、本発明の要旨を逸脱しない範囲で任意に変更，追加，削除することができる。例えば、被処理物Ａは、期限切れ食品等に類する任意の被処理物Ａに適用でき、特に、食品であるか否かは問わない。
【００２９】
【発明の効果】
このように、本発明に係る分離機は、ハウジングの上部の内周面に着脱する支持部材に整流板を設けることにより整流ユニットを構成するとともに、整流板の角度が異なる複数の整流ユニットを用意することにより、各整流ユニットを選択してハウジングに取付可能に構成し、整流板の相互間に形成される複数の流路の一部又は全部に障害板を配設したため、次のような顕著な効果を奏する。
【００３０】
（１）  整流板の角度が異なる複数の整流ユニットを用意し、各整流ユニットを選択してハウジングに取付可能に構成したため、被処理物の種類に応じた最適な整流ユニットを選択できるため、被処理物の種類に左右されることなく十分かつ確実な分離を行うことができる。
【００３１】
（２）  整流板の相互間に形成される複数の流路の一部又は全部に障害板を配設したため、スープ袋等の比較的小さく軽量な被処理物であっても確実に破砕（分離）することができる。
【００３２】
（３）  好適な実施の形態により、整流板の先端辺に、平刃，ノコギリ刃等の切断刃を形成すれば、厚めのポリエチレン製袋，ボール紙，段ボール等、さらには丈夫な合成樹脂の紐，茎や根等も容易にカッティングすることができる。
【図面の簡単な説明】
【図１】  本発明の好適な実施例に係る分離機の縦断正面図、
【図２】  同分離機の一部断面全体側面図、
【図３】  同分離機におけるハウジングの一部と整流ユニットを示す断面正面図、
【図４】  同分離機におけるインペラ輪の一部を示す拡大縦断正面図、
【図５】  同分離機におけるインペラ輪の側面図を含むハウジングの縦断側面図、
【図６】  同分離機における整流ユニットの底面図、
【図７】  同分離機における他の整流ユニットの底面図、
【図８】  同分離機における整流ユニットに備える整流板の変更例を示す正面図、
【図９】  参考例に係るインペラ輪の一部を示す拡大縦断正面図、
【符号の説明】
１      分離機
２      ハウジング
３…    整流板
３ｓ    整流板の先端辺
４      排出口
５…    メッシュ孔
６      シャフト
７…    インペラ
８      インペラ輪
Ａ      被処理物
Ａｓ    軽量ゴミ
Ａｗ    重量ゴミ
１１    整流ユニット
１１ａ  整流ユニット
１１ｂ  整流ユニット
１２    支持部材
１３…  障害板
１４    切断刃
１４ａ  平刃
１４ｂ  ノコギリ刃
Ｒ…    角度
Ｆ…    流路
【図１】
0003953728.tif 000002
【図２】
0003953728.tif 000003
【図３】
0003953728.tif 000004
【図４】
0003953728.tif 000005
【図５】
0003953728.tif 000006
【図６】
0003953728.tif 000007
【図７】
0003953728.tif 000008
【図８】
0003953728.tif 000009
【図９】
0003953728.tif 000010